(57)【要約】【目的】撥弦楽器用ピックアップ装置の出力を大きくするとともに、周波数特性を改善する。【構成】ピックアップ装置１１は、撥弦楽器の弦３と胴の表板との間に挟持され、弦３の振動を胴に伝達する下駒枕１６と、その下駒枕１６を長手方向に沿って嵌合させて支持し、胴の表板上に固着される下駒２５と、その下駒２５の表面の下駒枕１６を嵌合させた部位を除く領域に貼着された可撓性圧電体であるピエゾフィルム１７，１８とを備えている。そして、弦３の振動により胴の表板と共にピックアップ装置１１も振動し、その際に下駒２５のピエゾフィルム１７，１８を貼着している比較的肉厚が薄い部分が最も大きく曲げ変形し、ピエゾフィルム１７，１８も自由に曲げ変形され、圧電効果による電気信号を全楽音領域に亘って効率よく出力する。【選択図】        図１
2005331677.tif 000002
【特許請求の範囲】
【請求項１】
撥弦楽器の弦と胴の表板との間に挟持され、前記弦の振動を前記胴に伝達する部材である下駒枕と、
該下駒枕を長手方向に沿って嵌合させて支持し、前記胴の表板上に固着される下駒と、
該下駒の表面の前記下駒枕を嵌合させた部位を除く領域に貼着又は埋設された可撓性圧電体とを備えたことを特徴とする撥弦楽器用ピックアップ装置。
【請求項２】
請求項１記載の撥弦楽器用ピックアップ装置において、
前記可撓性圧電体が、前記下駒の長手方向の両端から前記下駒枕の長手方向の両端までの間の２個所の表面領域の少なくとも一方に設けられていることを特徴とする撥弦楽器用ピックアップ装置。
【請求項３】
請求項１又は２記載の撥弦楽器用ピックアップ装置を、前記弦と前記胴の表板との間に、前記下駒を前記表板上に固着して設けたことを特徴とする撥弦楽器。
【請求項４】
弦と胴の表板との間に挟持され、前記弦の振動を前記胴に伝達する部材である下駒枕と、
該下駒枕を長手方向に沿って嵌合させて支持し、前記胴の表板上に固着される下駒と、
該下駒の表面の前記下駒枕を嵌合させた部位を除く領域に貼着又は埋設された複数の可撓性圧電体と、
前記複数の可撓性圧電体の各出力信号を混合する混合回路とを備えたことを特徴とする撥弦楽器。
【発明の詳細な説明】
【技術分野】
【０００１】
この発明は、自然撥弦楽器であるギター、マンドリン及びウクレレ等の演奏に伴う弦の振動を電気信号として検出できる撥弦楽器用ピックアップ装置とそれを備えた撥弦楽器に関する。
【背景技術】
【０００２】
一般に、ギター、マンドリン及びウクレレなどの撥弦楽器は、複数本の各弦の両端を胴とネックからなる楽器本体に固定し、その間の弦と楽器本体の胴の表板との間に駒を挟持させており、その駒とネック側の支点との間で弦を指や爪で弾いて撥弦操作することにより楽音を発生させる。このときにネックに設けた指板上で弦を抑えながら撥弦操作することにより、その抑えた位置に応じた音高で楽音が発生する。なお、その駒はギターの場合、胴の表板上に固着される下駒とそれに嵌合支持された下駒枕とからなっている。
【０００３】
また、このような撥弦楽器において、指や爪による撥弦操作時の弦の振動を、ピックアップ装置で検出して電気信号に変換し、その電気信号を増幅してフィルタ処理などを施すことにより楽音信号とし、それをスピーカで電気・音響変換して自然撥弦楽器と同様な楽音を放音させる電気撥弦楽器がある。この電気撥弦楽器によれば、任意の音量で演奏したり、スピーカの代わりにヘッドホンで楽音を聞きながら演奏練習を行ったり、演奏による楽音信号を録音テープや記録ディスクなどの記録媒体に記録することもできる。
【０００４】
そして、ギターの場合に用いられる上記ピックアップ装置の例としては、弦を全てスチール弦としてその振動をコイルの電磁誘導作用により電気的に検出するマグネティック・ピックアップ装置があった。しかし近年では、非金属製のナイロン弦などを用いたアコースティックギターやウクレレなどにおいても、その独特の生音を忠実に検出することが要望されており、そのために用いるピックアップ装置として、例えば特許文献１および特許文献２には、ポリマ圧電体やピエゾフィルムによる圧電変換器を用いたピックアップ装置が開示されている。
【０００５】
【特許文献１】米国特許第５，１２３，３２５号明細書
【特許文献２】特開平７−１５２３７８号公報  これらに開示されているピックアップ装置は、いずれも下駒と下駒枕との間に圧電変換器を挟み込んで構成したものであり、その圧電変換器が下駒を介して弦の振動を受けることによって圧電効果による起電力を生じ、それによって弦振動を電気信号として検出することができる。
【０００６】
その従来のピックアップ装置の構成を図１１によって簡単に説明する。
図１１は、そのピックアップ装置の下駒の長手方向に沿う断面図である。このピックアップ装置３５は、通常のギターと同様にサドル(saddle)と称されている下駒枕１６が、胴の表板４に固着されるブリッジ(bridge)と称される下駒２５に嵌合支持されて複数の弦３を支持しており、その下駒枕１６と下駒２５との嵌合部に圧電変換器３６が挟み込まれている。その圧電変換器３６は上下両面に電極が形成されたポリマ圧電体あるいはピエゾフィルムからなり、下駒枕１６の下面の全長に亘って配設されるように細長く形成されている。そして、撥弦時に弦３の振動により下駒枕１６を介してこの圧電変換器３６に加わる押圧力が変動し、圧電効果による起電力が発生して弦振動に応じた電気信号を出力する。
【発明の開示】
【発明が解決しようとする課題】
【０００７】
しかし、このような従来のピックアップ装置３５は、弦３を張設して演奏可能に調弦した状態では、圧電変換器３６に駒１６から常時強い静圧が付加されることになり、このように予備的な応力を受けている圧電変換器に十分な起電力を生じさせるためには非常に大きな力を付加しなければならない。加えて、圧電変換器３６はその厚み方向の変位に対して大きな起電力を生じるものであるが、ギターなどにおける撥弦操作はほとんど上記のように配置された圧電変換器３６に対してその長手方向と平行な方向に弦３を振動させるので、厚み方向に対する振動成分が比較的小さい。また、圧電変換器３６は上記予備応力を受けていることによって自由な動きが止められている状態にある。したがって、このような従来のピックアップ装置３５では圧電変換器３６から得られる電気信号の出力が小さく、増幅率の大きなプリアンプ等が不可欠となっていた。
【０００８】
また、上記のような予備応力を受けている状態の圧電変換器３６は、弦振動に対する圧電効果の周波数特性が良好ではなく、楽音を発生する弦振動の各周波数成分に対する発電出力が不均一になり、ピックアップ装置３５によって検出される電気信号に基づいて発生させる楽音が、音色的に楽器本来の生の音とかけ離れたものになってしまう。そのため、イコライザによる音色補正が必要になっていた。
【０００９】
この発明は、これらの問題を解決するためになされたものであり、撥弦楽器用ピックアップ装置による検出信号の出力を大きくするとともに、その周波数特性を改善することを目的とする。また、ピックアップ装置を備えた撥弦楽器において、電気信号を大きく出力できるとともに、楽器本来の音色を忠実に再現できるようにすることも目的とする。
【課題を解決するための手段】
【００１０】
この発明による撥弦楽器用ピックアップ装置は、上記の目的を達成するため、撥弦楽器の弦と胴の表板との間に挟持され、上記弦の振動を胴に伝達する部材である下駒枕と、その下駒枕を長手方向に沿って嵌合させて支持し、上記胴の表板上に固着される下駒と、その下駒の表面の上記下駒枕を嵌合させた部位を除く領域に貼着又は埋設された可撓性圧電体とを備えたものである。
さらに、上記可撓性圧電体を、下駒の長手方向の両端から下駒枕の長手方向の両端までの間の２個所の表面領域の少なくとも一方に設ければよい。
【００１１】
この発明による撥弦楽器は、上記の目的を達成するため、上述した撥弦楽器用ピックアップ装置を、弦と胴の表板との間に上記下駒を表板上に固着して設けたものである。
さらに、その撥弦楽器に装着するピックアップ装置を、下駒の表面の上記下駒枕を嵌合させた部位を除く領域に複数の可撓性圧電体を貼着又は埋設したものとし、その複数の可撓性圧電体の各出力信号を混合する混合回路を備えるようにしてもよい。
【発明の効果】
【００１２】
この発明による撥弦楽器用ピックアップ装置は、下駒の表面の下駒枕を嵌合させた部位を除く領域にピエゾフィルム等の可撓性圧電体を貼着あるいは埋設したので、可撓性圧電体が何ら予備的な応力を受けずに自由に変形できる。そのため、下駒枕を介して弦の振動を受けた場合には、下駒とともに可撓性圧電体も長手方向および幅方向に自由に曲げ変形し、その曲げ変形によって可撓性圧電体の上面側と下面側の一方が伸長し他方が収縮して均一に歪むため、高い発電効率で大きな電気信号を出力できる。また、可撓性圧電体には予備応力が付加されないため、小さな力を付加するだけの微小な弦振動も検出できるとともに、周波数特性も向上し、低音域から高音域まで均一な感度で検出できる。
また、この発明による弦楽器は、上記撥弦楽器用ピックアップ装置を備えているので、演奏時の弦振動により大きな電気信号を出力できるとともに、楽器本来の音色を忠実に再現できる。
【発明を実施するための最良の形態】
【００１３】
以下、この発明を実施するための最良の形態を図面に基づいて具体的に説明する。
〔ピックアップ装置の実施例〕
先ず、この発明による撥弦楽器用ピックアップ装置の実施例について、図１乃至図３によって説明する。図１はそのピックアップ装置の正面図、図２は同じくそのＡ−Ａ線に沿う断面図である。図３は、その可撓性圧電体であるピエゾフィルムの構成を厚さ方向の拡大率を大きくして示す拡大側面図である。
【００１４】
図１において、この実施例のピックアップ装置１１は、後述する撥弦楽器の胴の表板４上に固着される木製の下駒（ブリッジ)２５と、その下駒２５に嵌合支持された下駒枕（サドル）１６と、下駒２５の表面に貼着された２枚の可撓性圧電体であるピエゾフィルム（圧電フィルム）１７，１８とから構成されている。なお、ピエゾフィルム１７，１８を貼着した以外は、一般のアコースティックギター用の下駒及び下駒枕と同じ構成である。
【００１５】
この下駒２５の下駒枕１６の後方には、６個の透孔が形成されており、そこに６本の各弦３の抜け止めボールを固着した一端部が挿入でき、その挿入後に各透孔にアンカピン１４を挿入して各弦一端を固定できるように構成している。
下駒２５の平面形状は、図１に示すように弦３の配列方向に細長く、中央部が後方に少し膨らんだ形状をなし、長手方向の断面形状は、図２に示すように両端部の厚さが薄く中央部がゆるやかに隆起して厚肉部になっており、平らな底面を表板４の上面に貼り付けて固着される。その肉厚部に下駒枕１６を嵌合させる溝２５ａが形成されており、長手方向の両端付近には信号線を挿通する透孔２５ｂ（図１参照）が形成されている。
【００１６】
下駒枕１６は、プラスチックなどを材料とした細長い薄板であって、下駒２５のその長手方向に沿いつつ弦３の配列方向に対して若干傾斜して、下駒２５の溝２５ａに嵌合して支持され、下駒２５から突出した部分の上縁で各弦３を支持して張力を与えている。
そしてアンカピン１４側から見た図２において、下駒枕１６の左側が低音側、右側が高音側であり、６本の弦３はギターの場合左側からＥ線、Ａ線、Ｄ線、Ｇ線、Ｂ線、Ｅ線であり、左端のＥ線が一番太く、右端のＥ線が一番細い。
【００１７】
同じく図２において、下駒２５の表面の下駒枕１６を嵌合させている厚肉部の両端から全体の長手方向の両端付近に亘る各領域にそれぞれピエゾフィルム１７，１８が貼着されている。
そのピエゾフィルム１８は、図３に拡大して示すようにフィルム状のピエゾ素子であるピエゾフィルム本体２６の両面に導電膜による電極面２７，２８を形成しており、その各電極面２７，２８がそれぞれリードシート２９，３０を介してリード線３１，３２に接続され、その２本のリード線３１，３２がそれらの間の絶縁状態を保持されつつ１本の信号線３３にまとめられて、図２に示すように下駒２５及び表板４の透孔を通して、後述する撥弦楽器の胴の内部に導かれる。
他方のピエゾフィルム１７も、その向きと大きさが異なる以外は上述したピエゾフィルム１８と同じ構成である。
【００１８】
また、ピックアップ装置１１を正面から見た図１においては、２つのピエゾフィルム１７，１８はそれぞれ下駒２５の長手方向の両端から下駒枕１６の長手方向の両端までの間の２個所の表面領域に貼着されている。そして、各ピエゾフィルム１７，１８は長方形の形状であって、それぞれ長手方向が弦３の張設方向と直交する向きになっており、低音側のピエゾフィルム１７の方が高音側のピエゾフィルム１８よりも幅が広くなっている。
そして、各ピエゾフィルム１７，１８上に、その電極面２８及びリードシート３０とリード線３１，３２および信号線３３等を全て覆い隠すために、図１及び図２に仮想線で示すようにカバーシート３４を貼り付ければ、見栄えがよくなる。
【００１９】
そして、これらのピエゾフィルム１７、１８は、弦３の振動により後述するように曲げ変形されて、その圧電効果により弦振動に応じた起電圧を発生し、それを電気信号としてリード線３１、３２を通して信号線３３に出力する。すなわち、ピエゾフィルム１７、１８に機械的な歪みを作用させることによって、圧電効果によりその歪みの大きさに比例した電気的な分極現象がピエゾフィルム１７、１８の厚み方向に生じ、それによってその両面の電極面２７，２８の間に電位差が生じ、その各電極面２７，２８に接続されている２本のリード線３１，３２に電気信号が出力されることになる。
【００２０】
そして、この実施例のピックアップ装置１１は、ピエゾフィルム１７、１８を下駒２５の表面に貼着しているので、予圧がかかることなく自由に曲げ変形されるため、従来のピックアップ装置と比較して大きな電気信号を出力でき、かつ周波数特性が向上して弦振動の波形に忠実な電気信号を出力できる。これらの作用効果については後で詳細に説明する。
なお、この実施例では、ピックアップ装置１１に各弦３の後端を固定する部分を一体に設けているが、それを別に設けてもよく、例えばクラシックギターのように、下駒とは別に弦固定用のテールピースを胴の表板に固着して、それに設けた孔に弦を通して結び付けるようにしてもよい。
【００２１】
〔撥弦楽器の実施例〕
次に、この発明による撥弦楽器の実施例について図４及び図５によって説明する。図４はその撥弦楽器の側面図、図５はその撥弦楽器を検出信号出力回路、およびアンプとスピーカによるサウンドシステムと共に示す正面図である。
【００２２】
この実施例の撥弦楽器１は、アコースティックギターと殆ど同じ構成である。その楽器本体である胴２は、外周が同一形状の表板４と裏板５を有し、その外周を曲面形状の側板６を介して張り合わせた中空構造の共鳴胴であり、その表板４の小さい方の膨らみ部の中央部に円形のサウンドホール７が形成されている。そして、この胴２の図４及び図５における右側の先端端部に、指板８を支持するとともに先端部にヘッド９を備えたネック１０が固着され、表板４の表面上における指板８と反対側（図で左側）には、前述したこの発明によるピックアップ装置１１が接着により固着されている。
【００２３】
ネック１０の先端部のヘッド９には、それぞれペグ１２に連動して回転する６個の糸巻１３が設けられており、その各糸巻１３とピックアップ装置１１の下駒２５に形成された６個の透孔に挿入されたアンカピン１４との間に、スチール又はガットなどによる６本の弦３が張られている。そして、ヘッド９とネック１０の境界に設置されたナット１５と、ピックアップ装置１１の下駒２５に嵌合支持されている下駒枕１６がそれぞれ各弦３を支持して張力を与えている。
【００２４】
この実施例では図５に示すように、ピックアップ装置１１には弦３の振動を電気信号として検出するための可撓性圧電体として、２枚のピエゾフィルム１７，１８が下駒２５の表面に貼着されて設けられており、低音側のピエゾフィルム１７による検出信号は信号線３３ａに出力され、高音側のピエゾフィルム１８による検出信号は信号線３３ｂに出力される。
【００２５】
さらに、胴２の内部に混合回路であるミキサ（ＭＩＸ）１９が、外部から操作可能な位置に選択手段であるセレクトスイッチ２０が設けられている。そして、２つのピエゾフィルム１７，１８からの信号線３３ａ，３３ｂがこのミキサ１９の入力端子に接続されると共に、セレクトスイッチ２０の固定接点２０ａ，２０ｂにそれぞれ接続されている。さらに、ミキサ１９の出力端子がセレクトスイッチ２０の固定接点２０ｃに接続され、セレクトスイッチ２０の可動接点２０ｄがジャック２１に接続されている。
【００２６】
したがって、セレクトスイッチ２０の切り換え操作により、２つのピエゾフィルム１７，１８からそれぞれ出力される電気信号のどちらか一方、あるいはミキサ１９によるそれらの混合信号を選択して出力させることができる。
図５に示す２２は撥弦楽器１と別に外部に用意したアンプであり、ジャック２１に挿入可能なプラグ２３に接続した信号線２３ａからの入力信号を増幅してスピーカ２４に出力し、電気・音響変換して楽音を放音させる。このスピーカに変えてヘッドホンや録音機などを接続してもよい。
【００２７】
そこで、プラグ２３を撥弦楽器１のジャック２１に挿着して、演奏者がこの撥弦楽器１を演奏すると、撥弦操作によって弦３が振動し、その振動をピックアップ装置１１の２つのピエゾフィルム１７，１８が検出して電気信号を出力し、その電気信号をアンプ２２で増幅してスピーカ２４あるいは図示していないヘッドホンによって電気・音響変換してギターの演奏音を放音することができる。
【００２８】
この実施例では、図５におけるピエゾフィルム１７は、６本の弦３のうちの主にその近傍に位置する低音側の弦の振動成分を近い順で大きく検出し、ピエゾフィルム１８は主にその近傍に位置する高音側の弦の振動成分を近い順で大きく検出する。そのためピエゾフィルム１７は低音域が強調された信号を出力し、ピエゾフィルム１８は高音域が強調された信号を出力する。
【００２９】
そこで、ピエゾフィルム１７の出力信号を選択することによって、例えばリードフレーズを豊かな太い音で演奏するような場合に適した信号を出力でき、一方、ピエゾフィルム１８の出力信号を選択することによって、例えばコード伴奏のようなリズム主体の歯切れのよい演奏に適した信号を出力でき、また、ミキサ１９の出力信号を選択することによって、全音域に亘ってバランスの取れた信号を出力することができる。
なお、上記セレクトスイッチ２０を設けずに、ミキサ１９による混合信号のみを出力するようにしてもよい。また、その混合比は固定としてもよいし、可変にして外部から操作可能にしてもよい。
また、ピエゾフィルムは２枚に限らずに、必要な音域の信号を取り出せる位置に１枚または複数枚設置するようにしてもよい。
【００３０】
〔この実施例による作用効果の説明〕
この発明によるピックアップ装置１１は、下駒２５の表面の下駒枕１６を嵌合させた部位を除く領域にピエゾフィルム１７，１８を貼着しているので、それを上述のように撥弦楽器に取り付けると、従来のピックアップ装置を取り付けたものに比べて大きな電気信号を出力することができる。以下その理由について説明する。
【００３１】
図６は、図４のＢ−Ｂ線に沿う一部拡大断面図であり、弦３の振動によって胴２の表板４とピックアップ装置１１が振動する様子を示す図である。この図において、図１〜図５と対応する部分には同一の符号を付している。この図６において、胴２の左側部分の図示を省略しているが、表板４と裏板５は同じ幅であり、それらの左端部も側板６を介して張り合わされている。
【００３２】
そして、６本の弦３端が表板４上に張られて調弦されることにより、表板４とその表面に固着されたピックアップ装置１１の下駒２５と下駒枕１６はそれらの厚み方向（図中の上下方向）に弦３の張力により押圧力を受けるが、それと表板４の弾性復元力とが均衡して安定した状態になっている。この状態から、弦３を弾いて撥弦操作すると、弦３の振動が下駒枕１６及び下駒２５を経て表板４に伝播し、弦３の張力による押圧力と表板４の弾性復元力との均衡が破られて表板４が振動する。そして、この表板４の厚み方向の振動変位によって空気の粗密波を生じて、弦振動による楽音を大きく放音させる。
【００３３】
この時、表板４は厚み方向に振動するが、その外周が側板６で固定されているため、図６に２点鎖線でその振幅を誇張して示すように、その振幅Ｖｓは外周に近いほど小さく、胴２の幅方向の中央位置付近で最も大きい振幅Ｖmaxで振動する。このため、表板４の幅方向の中央部の表面上に固着されている下駒２５はその表板４の振動により曲げ変形することになる。
【００３４】
図７と図８はその下駒２５の曲げ変形の様子を示す図であり、いずれも曲げ変形が生じていない状態を実線で示し、表板４の中央部が最も外側へ膨出するように変位したときの曲げ変形の状態を図７に仮想線で示し、表板４の中央部が最も内側へ湾曲するように変位したときの時の曲げ変形の状態を図８に仮想線で示している。
このように、下駒２５の長手方向の両端部付近の比較的厚さが薄い領域（下駒枕１６を嵌合支持している厚肉領域を除く領域）で大きな曲げ変形が繰り返し生じる。
下駒２５の表面のこの大きな曲げ変形が生じる領域にピエゾフィルム１７，１８が貼着されているので、ピエゾフィルム１７，１８も主に長手方向の曲げ変形を繰り返すことになる。
【００３５】
一般に、曲げ変形が可能なピエゾフィルム等の可撓性圧電体による圧電効果は、大きな圧力を部分的に加えるよりも、上下両面の一方を伸長させ他方を収縮させるように曲げ変形させた方が、格段に高い発電効率で信号を出力させることができる。これは、可撓性圧電体が曲げ変形されることでその曲がり方向における変形部分全体に亘って均一に厚み方向の歪みが生じ、その結果小さな力でも可撓性圧電体全体として大きな歪み量が得られ、高い圧電効果が生じることによる。
【００３６】
このような可撓性圧電体の特性のため、図１１によって説明した従来のピックアップ装置の構成では、その圧電変換器３６としてピエゾフィルム等の可撓性圧電体を使用したとしても、弦３の振動によってその長手方向における一部分が押圧力を受けるだけであり、全体的に生じる歪みが小さく、検出される電気信号も小さい。
それと比較して、この実施例のピックアップ装置１１によれば、弦３の振動によって２つのピエゾフィルム１７，１８に全体的に（特に長手方向に）大きな曲げ変形を生じるさせることができるため、高い発電効率で電気信号を大きく出力することができる。
【００３７】
特に、この実施例のピックアップ装置１１においては、ピエゾフィルム１７，１８を配置している領域が、下駒２５の下駒枕１６を嵌合支持している厚肉領域の左右両側の比較的薄肉となっている領域であり、さらに、ピエゾフィルム１７，１８を長方形にして、その長手方向を弦の張設方向と直交する方向に配置しているため、弦３の振動を効率的にピエゾフィルム１７，１８の長手方向の曲げ変形に変換することができる。
【００３８】
さらにまた、ピエゾフィルム１７，１８は下駒２５の表面に貼着されているだけであるため、弦３を張設して調弦を行っても予備圧力が印加されることはない。したがって、ピエゾフィルム１７，１８を小さく曲げ変形させるだけの微小な弦振動でも検出できるとともに、弦振動の各周波数成分に対して均一な圧電特性が得られ、周波数特性が良好となり、低音域から高音域まで高感度で信号を出力できる。
また、ピエゾフィルム１７，１８に予備圧力が印加されていないことによって、下駒２５の曲げ変形に対してピエゾフィルム１７，１８がほぼ線形に曲げ変形し、弦振動がリニアに電気信号に変換されることになる。
【００３９】
このように、この実施例のピックアップ装置は、弦振動に対する電気信号を大きく出力することができ、演奏音の全域に亘って周波数特性が良好であり、信号の直線性もよい。したがって、このピックアップ装置を備えた撥弦楽器は、プリアンプを使用しなくても演奏音を充分な電気信号に変換して再生することができるとともに、イコライザを用いなくても楽器本来の音色を忠実に再現することができる。
【００４０】
〔この発明の変形例〕
この発明によるピックアップ装置において、ピエゾフィルム等の可撓性圧電体を貼着する位置は、下駒２５の長手方向の両端部の近傍だけに限定することなく、下駒枕１６を嵌合支持する領域を除く領域の表面であって弦振動により曲げ変形される位置であればどこに貼着してもよい。
図９はその変形例を示す。この例では、下駒２５の長方向の両端部付近の表面に貼着したピエゾフィルム１７，１８の他に、アンカピン１４を挿着して各弦３の後端を固定する位置より後方の領域の表面にも、弦３の配列方向に細長い長方形のピエゾフィルム３７を貼着している。
【００４１】
このように、種々の位置にピエゾフィルム等可撓性圧電体を貼着することによって、そのそれぞれ異なる周波数特性や時間特性の信号を得ることができる。また、図示するようにそれら複数のピエゾフィルム１７，１８，３７間で幅や長さなどのサイズを異ならせることによって、発電量や特性に差を生じさせることができ、これら配置やサイズの異なる多くのピエゾフィルムを設けてそれらの出力信号の選択と混合の組み合わせを多様に設定することによって、音色やボリューム等のバリエーションを多く増やすことができる。
しかし、必ず複数のピエゾフィルムを設けなければならないものではなく、１枚のピエゾフィルムを下駒の曲げ変形し易い領域の表面に貼り着けるだけでもよい。
【００４２】
また、図１０は他の変形例を示す。この例では、下駒２５長手方向の両端部付近の曲げ変形し易い領域の表面に浅い凹部２５ｃを形成し、その凹部２５ｃにピエゾフィルム１８を埋設するように貼着している。このようにすれば、下駒２５の表面とピエゾフィルム１８の上面とが面一になり、ピックアップ装置の外観の見栄えがよくなる。
可撓性樹脂などをこの凹部２５ｃのピエゾフィルム１８との隙間に充填し、ピエゾフィルム１８の上面に塗膜を形成したり、凹部２５ｃ上を覆うようにカバーシートを貼り付けたりすることによって、ピエゾフィルム１８を目立たなくして一層美観をよくすることができる。この場合には、ピエゾフィルム１８が自由に曲げ変形できるように、凹部２５ｃの広さや深さに余裕を持たせておくとよい。
【００４３】
上述した実施例は、この発明をアコースティックギターに適用した場合の例について説明したが、ウクレレ、マンドリン等の他の自然撥弦楽器にも同様に適用できる。その場合、ピックアップ装置を構成する下駒枕と下駒の材質、サイズ及び形状等をそれらの撥弦楽器に応じて適宜変更すればよい。また、この発明によるピックアップ装置は、既成の撥弦楽器に備えている下駒の表面上に新たにピエゾフィルムを貼着して構成することも可能である。
また、楽器本体の共鳴胴をなくして、専ら電気的にあるいは電子音によって楽音を発生する消音型の電気撥弦楽器や電子撥弦楽器にもこの発明を適用することができる。
【００４４】
電子撥弦楽器の場合には、弦の振動をこの発明によるピックアップ装置で検出して電気信号に変換し、その信号から楽音のピッチや振幅などのデータを作成して、そのデータを電子音源に入力することにより、例えばＲＯＭに記憶されたＰＣＭ符号化された楽音データを読み出してＤ／Ａ変換して楽音信号を生成する。その楽音信号をアンプで増幅してスピーカによってギター等の自然撥弦楽器と同様な楽音を放音させたり、ヘッドホンで聴いたりすることができる。
【産業上の利用可能性】
【００４５】
この発明は、アコースティックギター、マンドリン、ウクレレ等の自然撥弦楽器や、それらの練習用などに使用する各種の消音型の電気撥弦楽器及び電子撥弦楽器を製造あるいは改造したり、それらの撥弦楽器を用いた演奏システムを構成する各種産業に利用できる。そして、撥弦楽器の練習用に限らず、演奏用としても表現力豊かな演奏を実現することができるので、演奏形態を多様化でき、他の電気楽器や電子楽器などの大音量が出る楽器と合奏することも容易になる。しかも、演奏者の意図を微妙に表現した精緻な演奏が可能になる。
【図面の簡単な説明】
【００４６】
【図１】この発明によるピックアップ装置の実施例の正面図である。
【図２】図１のＡ−Ａ線に沿う断面図である。
【図３】図２におけるピエゾフィルムの構成を拡大して示す側面図である。
【図４】この発明による撥弦楽器の実施例の側面図である。
【図５】同じくその撥弦楽器を検出信号出力回路、およびアンプとスピーカによるサウンドシステムと共に示す正面図である。
【図６】同じくその作用を説明するための図４のＢ−Ｂ線に沿う部分的な拡大断面図である。
【００４７】
【図７】表板の中央部が最も外側に膨出した時の下駒の曲げ変形を説明するための説明図である。
【図８】表板の中央部が最も内側に湾曲した時の下駒の曲げ変形を説明するための説明図である。
【図９】ピックアップ装置の他の実施例を示す正面図である。
【図１０】ピックアップ装置におけるピエゾフィルム取付け部の他例を示す部分的な拡大断面図である。
【図１１】従来技術のピックアップ装置の圧電変換器を設けた部分の弦の配列方向に沿う断面図である。
【符号の説明】
【００４８】
１…撥弦楽器、２…胴、３…弦、４…表板、５…裏板、６…側板、７…サウンドホール、８…指板、９…ヘッド、１０…ネック、１１…ピックアップ装置、１２…ペグ、１３…糸巻、１４…アンカピン、１５…ナット、１６…下駒枕、１７，１８…ピエゾフィルム（可撓性圧電体）、１９…ミキサ（混合回路）、２０…セレクトスイッチ、２１…ジャック、２２…アンプ、２３…プラグ、２４…スピーカ、２５…下駒、２５ａ…溝、２５ｂ…透孔、２５ｃ…浅い凹部、２６…ピエゾフィルム本体、２７，２８…電極面、２９，３０…リードシート、３１，３２：リード線、３３…信号線、３４…カバーシート
【図１】
2005331677.tif 000003
【図２】
2005331677.tif 000004
【図３】
2005331677.tif 000005
【図４】
2005331677.tif 000006
【図５】
2005331677.tif 000007
【図６】
2005331677.tif 000008
【図７】
2005331677.tif 000009
【図８】
2005331677.tif 000010
【図９】
2005331677.tif 000011
【図１０】
2005331677.tif 000012
【図１１】
2005331677.tif 000013